(57)【要約】内外に２重の布部を有し、外側布部を開閉可能とし、開放時に内側布部に施した図柄が表示できる衣服を提供する。【課題】衣服の一部を重合する第１布部と第２布部とで構成し、第２布部の側縁を第１布部に縫着させ、他端を第１布部あるいは第２布部の一部に係脱可能に設け、第１布部に図柄を施し、第２布部を縫着部を基点にして開いた時、第１布部の図柄が表示されるようにする。【選択図】      図２
2004232180.tif 000002
【特許請求の範囲】
【請求項１】
衣服の一部を重合する第１布部と第２布部とで構成し、第２布部の側縁を第１布部に縫着させ、他端を第２布部あるいは第１布部の一部に係脱可能に設け、第１布部に図柄を施し、前記第２布部を縫着部を基点にして開き、前記図柄が表示されるようにしたことを特徴とする衣服。
【請求項２】
前記請求項１に記載の衣服において、第２布部の他端側は開いた状態で第２布部あるいは第１布部の一部に係止手段によって保持されていることを特徴とする衣服。
【請求項３】
前記請求項１に記載の衣服において、図柄をロボットの機体内の構成パーツとしたことを特徴とする衣服。
【請求項４】
前記請求項２に記載の衣服において、図柄に光反射材料を施したことを特徴とする衣服。
【発明の詳細な説明】
【０００１】
【発明の属する技術分野】
この発明は、特に図柄表示の変更機能を備えた衣服に関する。
【０００２】
【従来の技術】
一般に使用される衣服は一部を分離可能とし、身体への着脱を容易にしたものや、一部を伸縮可能にし着脱を容易にしたものなどがあり、これらに表示を変化させるものとしてリバーシブル可能としたものも多数く存在している。
また、デザインや表裏の図柄を変えて消費者の好みのものを創作していた。
【０００３】
衣服を着替えることなく、布片の一部を衣服に着脱可能にして衣服の印象を変えたり、状況に合わせて図柄の一部を交換可能にしたものが知られている。
（例えば、特許文献１参照）。
【０００４】
【特許文献１】
特開２００２−２０９２０号公報
【０００５】
【発明が解決しようとする課題】
しかしながら、このような従来の技術にあっては、一部を交換可能にしたことで、単一の衣服で多様性のある表現が得られているが、衣服としての変化の度合いは限られたものであり、装着者には物足りなさがあった。
【０００６】
この発明は、このような従来の技術に鑑みてなされたものであり、衣服の一部を二重構造にし、外側の布部を開閉可能にすることで、好みによって内側の図柄を表示できるようにした衣服を提供するものである。
【０００７】
【課題を解決するための手段】
請求項１に記載の発明は、衣服の一部を重合する第１布部と第２布部とで構成し、第２布部の側縁を第１布部に縫着させ、他端を第２布部あるいは第１布部の一部に係脱可能に設け、第１布部に図柄を施し、前記第２布部を縫着部を基点にして開き、前記図柄が表示されるようにしたことを特徴としている。
【０００８】
請求項１に記載の発明によれば、衣服の一部に布片を開閉可能に設け、その内側の第１布部に施した図柄を表示できるようにしたので、図柄によって種々の表現が可能となり、衣服の用途が拡大する。
【０００９】
請求項２に記載の発明は、前記請求項１に記載の衣服において、第２布部の他端側は開いた状態で第２布部あるいは第１布部の一部に係止手段によって保持されていることを特徴としている。
【００１０】
請求項２に記載の発明によれば、第２布部が開いた状態でも上着として一体的となるので、周囲のものに引っ掛けたり、動きの邪魔になることがなく、実用的である。
【００１１】
請求項３に記載の発明は、図柄をロボットの機体内の構成パーツとしたことを特徴としている。
【００１２】
請求項３に記載の発明によれば、図柄によってロボットの機体の内部構成の表現が可能となり、これを幼年者が装着すると、恰も自分自身がロボットになった気分になり、嗜好が増加する。
【００１３】
請求項４に記載の発明は、図柄に光反射材料を施したことを特徴としている。
【００１４】
請求項４に記載の発明によれば、図柄に光反射材料を施したことで暗闇での視認性が上げられ、夜間での活用も可能とり、多様な活用が図れる。
【００１５】
【発明の実施の形態】
以下、この発明の好適な一実施形態を、衣服の上着に適用した図１、図２に基づいて説明する。
まず、図１に示すように、装着者の胸部に相当する上着（１）の前部（１ａ）は内側の第１布部（２）と、これに重なり合う外側の第２布部（３）とで構成され、第２布部（３）は左右に分割しており、右布片（４）の右側縁（４ａ）は上下方向に沿って第１布部（２）の対向部位（装着者の右脇腹相当部）に縫着（５）されている。
他方の左布片（６）の左側縁（６ａ）は同様に上下方向に沿って第１布部（２）の対向部位（装着者の左脇腹相当部）に縫着（７）されている。
【００１６】
第２布部（３）の左右の布片（４），（６）の縫着側とは反対の自由端側であって、互いに若干重なり合う部位の対向する箇所には、ボタン（８）とボタンホール（９）からなる１組の係止手段が形成されており、係止手段は重合部上下方向に沿って複数設けられている。これにより左右の布片（４），（６）を開けたり、閉じ留めしておくことができる。
なお、ボタン（８）は右布片（４）の同一個所の裏面側にも同様のボタン（８ａ）が設けられている。
【００１７】
装着者の胸部相当部に位置する第１布部（２）には、図２に示すように図柄（１０）がプリント等により施されている。この図柄（１０）には図３に示すようにロボットの機体内の構成パーツが描かれており、エンジン部（１０ａ）、燃料部（１０ｂ）、制御部（１０ｃ）等を示している。
【００１８】
このように形成されてなる上着（１）を身体に装着し、通常は第２布部（３）の左右布片（４），（６）をボタン掛けした閉じた状態で使用する。
【００１９】
好みによって内側の第１布部（２）の図柄（１０）を表示したい場合は、ボタン（８）をボタンホール（９）から外すことで可能となり、右布片（４）と左布片（５）をそれぞれの縫着（５），（７）された個所を基点に開くことができる。これによって第１布部（２）に描かれた図柄（１０）が表示される。
【００２０】
左右の布片（４），（６）はヒラ付かないよう上着（１）の背中側（１ｂ）に廻り込ませ、右布片（４）の裏面側に設けたボタン（８ａ）を離脱させたボタンホール（９）に再度嵌め込むことで、左右の布片（４），（６）が一体的になり妄りにヒラ付くことがない。
【００２１】
左右の布片（４），（６）を閉じた状態、あるいは開いた状態に維持するための係止手段として、ボタン（８）とボタンホール（９）の嵌合例を述べたが、これに特定されるものではなく、係止手段は紐、ジッパー、スナップファスナー、面ファスナー等であっても良く、係止手段は左右の布片（４），（６）間に設けたが、左右の各布片（４），（６）と第１布部（２）との間に設けても良い。
【００２２】
また、第２布部（３）の開閉方向として左右の布片（４），（６）を左右に開く例を述べたが、上下方向あるいは斜め上方、更には斜め下方に開閉するものであっても良い。
なお、上述実施例では第２布部（３）の両開きの例を示したが片側開きにしても良いことは勿論である。
【００２３】
第１布部（２）のデザインは実施例の図柄（１０）に特定されるものではなく、好みに合わせて種々選択することができ、また、プリント以外にも、アップリケのような取外し可能の図柄とすることもできる。この図柄変更で好みの範囲を更に拡大させることができる。
【００２４】
図柄に装着者の存在を認識させる光反射機能の材料を施すことで、夜間での活用も可能となる。
【００２５】
なお、以上の実施形態では、上着の前側に本願を適用した例を述べたが、背中側、腕部、ズボンの足部等に採用することもできる。
【００２６】
【発明の効果】
この発明によれば、衣服の一部を内外方向に２重構造とし、外側布片を開閉可能に形成し、開いた時にその内側の図柄を表示できるようにしたので、衣服の表示変化が可能となり、同一の衣服で複数の使用が可能となり用途が多様化する。
また、図柄としてロボットの機体内構成の様子が分かるような表現が可能となり、衣服装着者の嗜好が増加する。
更に、表示に反射機能を備えさせることで夜間での使用も可能となり、使用範囲が拡大する。
【図面の簡単な説明】
【図１】この発明の一実施形態に係る上着の正面図。
【図２】図１にあって第２布部を開いた状態で示す正面図。
【図３】図１中の図柄部の拡大正面図。
【符号の説明】
１  上着
２  第１布部
３  第２布部
４  右布片
５  縫着
６  左布片
７  縫着
８  ボタン（係止手段）
９  ボタンホール（係止手段）
１０  図柄
【図１】
2004232180.tif 000003
【図２】
2004232180.tif 000004
【図３】
2004232180.tif 000005